(57)【要約】【課題】  共通の防水パンを使用して出入口ドアを浴室の任意の位置に取付けることができ、防水パンの外周リブがドア受け部材取付け部位を補強する機能とドア受け部材を支持する機能の両方を発揮する浴室および防水パンを提供する。【解決手段】  浴室は、洗い場を構成する防水パン２に取付けられたドア受け部材７に出入口ドア５が配置されている。防水パンの全部の辺１０ａ〜１０ｄのうち出入口ドア５が設けられる可能性のある辺１０ｂ〜１０ｄの外周縁部２３の近傍には複数の外周リブ１１を一体的に形成し、出入口ドアを設置する位置では、防水パンには二つの外周リブの間の外周縁部を切欠いて切欠き部１２を形成し、両端に外周リブが残っている切欠き部にドア受け部材７を装着しドア受け部材の両端部を二つの外周リブに固定している。【選択図】    図２
2006016786.tif 000002
【特許請求の範囲】
【請求項１】
少なくとも洗い場を構成する防水パンに取付けられたドア受け部材に出入口ドアが配置される浴室であって、
前記防水パンの全部の辺のうち前記出入口ドアが設けられる可能性のある複数の辺の外周縁部近傍にはそれぞれ複数の外周リブを一体的に形成し、
前記出入口ドアを設置する位置では、前記防水パンには所定の二つの前記外周リブの間の前記外周縁部を切欠いて切欠き部を形成し、
両端にそれぞれ前記外周リブが対向して残っているこの切欠き部に前記ドア受け部材を装着するとともにこのドア受け部材の両端部を前記二つの外周リブにそれぞれ固定したことを特徴とする防水パンを有する浴室。
【請求項２】
請求項１に記載の防水パンを有する浴室であって、
複数の前記外周リブを前記外周縁部の下方に直角に一体形成し、
前記ドア受け部材の両端部の側板を、対向する一対の前記外周リブに密着させた状態で締結部材で締結固定し、
前記防水パンの前記切欠き部と前記ドア受け部材との間の隙間には防水処理を施したことを特徴とする防水パンを有する浴室。
【請求項３】
請求項１または２に記載の浴室に使用される防水パンであって、前記切欠き部を形成する前の前記防水パンは、前記出入口ドアがどの位置にあっても使用できるように同じ形状を有する共通の防水パンであることを特徴とする防水パン。
【発明の詳細な説明】
【技術分野】
【０００１】
本発明は、外周部に複数の外周リブが一体的に形成された防水パンを有する浴室および防水パンに関する。
【背景技術】
【０００２】
特許文献１（特開２００２−８８８４７号公報）には、浴室の床パン（防水パン）が記載されており、この床パンの外周部に壁パネルおよび出入口部（出入口ドア）を設置し、壁パネル上部に天井パネルを載置して浴室を形成するようにしている。この床パンは、洗い場と浴槽載置部とを構成している。
【特許文献１】特開２００２−８８８４７号公報
【発明の開示】
【発明が解決しようとする課題】
【０００３】
特許文献１に記載の床パンでは、出入口部を設置する位置で切欠き部を形成して、この切欠き部にドア受け部材を取付ける必要がある。
しかしながら、浴室に対する出入口部の位置は建家の脱衣場の間取りの関係で一定ではない。そのため、出入口部を設置する位置が変わる毎に異なる位置に切欠き部を形成する必要があるが、この切欠き部の位置の変化に合わせてそれぞれ床パンを一体成形すれば、多種類の金型が必要になり製造が困難になる。
【０００４】
そこで、従来の防水パンや特許文献１に記載の床パン（防水パン）では、出入口ドア（出入口部）の位置に対応させて防水パンの外周縁部を切欠いて切欠き部を形成し、この切欠き部にドア受け部材を装着する場合が多い。
ところが、従来の防水パンでは、防水パン自体の強度および強度保持用のリブの配置が、切欠きなしの場合を想定しているので、切欠き部を切欠いた後に、ドア受け部材取付け部位で防水パンが変形したり強度が低下する傾向があった。
【０００５】
また、ドア受け部材を防水パンに固定するのに、防水パンの表面側からねじをドア受け部材にねじ込んでドア受け部材を支持している。そのため、露出しているこのねじを隠すためのキャップを設ける必要があり、部品点数と作業量が増加しコストも掛かっていた。
また、ねじやキャップを設けたので、意匠性（美的外観）が低下し清掃も面倒であった。さらに、ねじが防水パンの表面側からねじ込まれているので、このねじのところから漏水する恐れもあった。
【０００６】
本発明は、このような課題を解決するためになされたもので、共通の防水パンを使用して出入口ドアを浴室の任意の位置に取付けることができ、また、防水パンの外周リブがドア受け部材取付け部位を補強する機能とドア受け部材を支持する機能の両方を発揮する、防水パンを有する浴室および防水パンを提供することを目的とする。
【課題を解決するための手段】
【０００７】
上述の目的を達成するため、本発明にかかる防水パンを有する浴室は、少なくとも洗い場を構成する防水パンに取付けられたドア受け部材に出入口ドアが配置される浴室であって、前記防水パンの全部の辺のうち前記出入口ドアが設けられる可能性のある複数の辺の外周縁部近傍にはそれぞれ複数の外周リブを一体的に形成し、前記出入口ドアを設置する位置では、前記防水パンには所定の二つの前記外周リブの間の前記外周縁部を切欠いて切欠き部を形成し、両端にそれぞれ前記外周リブが対向して残っているこの切欠き部に前記ドア受け部材を装着するとともにこのドア受け部材の両端部を前記二つの外周リブにそれぞれ固定している。
複数の前記外周リブを前記外周縁部の下方に直角に一体形成し、前記ドア受け部材の両端部の側板を、対向する一対の前記外周リブに密着させた状態で締結部材で締結固定し、前記防水パンの前記切欠き部と前記ドア受け部材との間の隙間には防水処理を施すのが好ましい。
本発明にかかる防水パンは、前記浴室に使用される防水パンであって、前記切欠き部を形成する前の前記防水パンは、前記出入口ドアがどの位置にあっても使用できるように同じ形状を有する共通の防水パンである。
【発明の効果】
【０００８】
本発明の防水パンを有する浴室および防水パンは、上述のように構成したので、共通の防水パンを使用して出入口ドアを浴室の任意の位置に取付けることができ、また、防水パンの外周リブがドア受け部材取付け部位を補強する機能とドア受け部材を支持する機能の両方の機能を発揮する。
【発明を実施するための最良の形態】
【０００９】
下記の実施例では、防水パンの全部の辺のうち出入口ドアが設けられる可能性のある複数の辺の外周縁部近傍にはそれぞれ複数の外周リブを一体的に形成し、出入口ドアを設置する位置では、防水パンには所定の二つの前記外周リブの間の前記外周縁部を切欠いて切欠き部を形成している。
そして、両端にそれぞれ前記外周リブが対向して残っているこの切欠き部にドア受け部材を装着するとともに、このドア受け部材の両端部を二つの外周リブに締結部材などでそれぞれ固定している。
これにより、共通の防水パンを使用して出入口ドアを浴室の任意の位置に取付けることができ、また、防水パンの外周リブがドア受け部材取付け部位を補強する機能とドア受け部材を支持する機能の両方を発揮するという目的を実現している。
【実施例】
【００１０】
以下、本発明にかかる実施例を図１ないし図７を参照して説明する。
図１ないし図７は本発明の一実施例を示す図で、図１は防水パンを有する浴室の斜視図、図２は防水パンの平面図、図３は図２のIII−III線に沿う片側断面図、図４は図２のIV−IV線断面図、図５は図２のＶ部拡大斜視図、図６は切欠き部形成前の防水パンの裏面図、図７は切欠き部形成後の防水パンの一部を示す裏面図である。
【００１１】
図１ないし図７に示すように、浴室（たとえば、システムバスルーム）には防水パン（すなわち、床パン）２が設けられている。浴室１は、一戸建て住宅，集合住宅，ホテルなどに設置されており、浴室ユニットの場合が多いがユニット化されていなくてもよい。
浴室１は、少なくとも洗い場６を構成する防水パン２と、防水パン２の外周部に立設された壁パネル３と、壁パネル３の上部を覆って取付けられた天井パネル４とを有している。浴室１の内部には、浴槽８，洗い場６，カウンターなどが設けられている。
壁パネル３には開口部が形成されており、この開口部に出入口ドア５が設けられている。出入口ドア５の下部には、防水パン２に取付けられたドア受け部材７が配置されている。
【００１２】
防水パン２は、浴室１の底部に配置され、洗い場６を構成して矩形状をなしており、防水機能を有している。防水パン２には排水口９が形成されている。浴槽８の下部にも、図示しない別の防水パンが設けられている。防水パン２と別の防水パンとは、たとえばＦＲＰ（繊維強化プラスチック）またはその他の硬質の合成樹脂によりそれぞれ全体が一体成形されている。
なお、洗い場６用の防水パン２と、浴槽８を載せるための別の防水パンとを分離した構成になっているが、浴室１の下部全体に一つの防水パンを設置して、その一部分を洗い場６とし、他の部分に浴槽８を載せた場合であってもよい。
【００１３】
防水パン２は、平面視で矩形状をなして四つの辺１０ａ，１０ｂ，１０ｃ，１０ｄを有している。一つの辺１０ａに沿って浴槽８が設置されており、また、この一つの辺１０ａの近傍に排水口９が配置されている。
この一つの辺１０ａ側には浴槽８が設置されるので、残りの辺１０ｂ，１０ｃ，１０ｄのいずれかの位置に、建家の脱衣場の間取りに合わせて出入口ドア５が設置されることになる。
平行で且つ対向する二つの辺１０ｂ，１０ｃは、短いので出入口ドア５を設ける可能性のある位置はそれぞれ一箇所ずつである。辺１０ａと平行で且つ対向する辺１０ｄは、その長さが長いので、一方側または他方側（たとえば、図２の右側または左側）に寄せたいずれか一方の位置に出入口ドア５を設ける可能性がある。本実施例では、辺１０ｄの一方側の位置（図２の右側の位置）に出入口ドア５を設置している。
なお、出入口ドア５の構造は、開き戸，引き戸のほか、折り曲げできる戸など各種構造のものがあり、また、その幅寸法（間口）Ｗも各種寸法のものがある。
【００１４】
防水パン２の表面２０は、排水口９のところが最も低くなるように全体的に傾斜している。防水パン２の裏面２１には、補強用の裏面リブ（図示せず）が格子状など所定形状に一体形成されている。
防水パン２の全部の辺１０ａ〜１０ｄのうち出入口ドア５が設けられる可能性のある複数の辺（ここでは、辺１０ｂ〜１０ｄ）の外周縁部２３の近傍には、それぞれ複数の外周リブ１１を一体的に形成している。複数の外周リブ１１は、外周縁部２３の下方に直角に一体形成されている。
出入口ドア５を設置する位置では、防水パン２には所定の二つの外周リブ１１の間の外周縁部２３を平面視で細長い矩形状に切欠いて、切欠き部１２を形成している。両端にそれぞれ外周リブ１１が対向して残っているこの切欠き部１２にドア受け部材７を装着するとともに、ドア受け部材７の両端部７ａ，７ｂ（図７）を、締結部材としてのねじ１３（または、ボルト・ナット）で二つの外周リブ１１にそれぞれ締結固定している。
【００１５】
切欠き部１２を形成する前の防水パン２において、一例として、左右の辺１０ｂ，１０ｃにはそれぞれ七つずつの外周リブ１１が所定位置に一体形成され、辺１０ｄには１０個の外周リブ１１が所定位置に一体形成されている。
なお、切欠き部１２を形成する前の防水パン２における外周リブ１１の数は、各辺１０ｂ，１０ｃ，１０ｄにそれぞれ少なくとも二つ以上一体形成されていればよい。すなわち、切欠き部形成前の各辺１０ｂ，１０ｃ，１０ｄにおける外周リブ１１の数と位置は、防水パン２のサイズ，形状，材質，強度などによって適宜設定されており、本実施例ではその一例を示している。
【００１６】
本実施例では、共通の防水パン２を使用し、辺１０ｄにおける二つの外周リブ１１を取り除くように外周縁部２３を切欠いて切欠き部１２を形成している。その結果、辺１０ｄでは八つの外周リブ１１が残っていることになる。なお、出入口ドア５の取付け位置や間口の寸法に対応して、外周縁部２３の切欠き寸法や取り除く外周リブ１１の数，位置は異なってくる。
こうして、共通の防水パン２を使用して、出入口ドア５を浴室１の任意の位置に取付けることができる。また、防水パン２の外周リブ１１が、ドア受け部材７の取付け部位を補強する機能とドア受け部材７を支持する機能の両方を発揮する。
【００１７】
ドア受け部材７の両端部７ａ，７ｂの側板１４は、対向する一対の外周リブ１１に密着した状態でねじ１３で締結固定されている。防水パン２の表面２０側にはねじ１３は出ないので、ねじ１３を隠すためのキャップなどは不要であり、また、清掃が容易で意匠性（美的外観）も良好である。なお、ねじ１３の代わりに接着剤などで、ドア受け部材７の両端部７ａ，７ｂを二つの外周リブ１１にそれぞれ固着した場合であってもよい。
また、防水パン２の切欠き部１２とドア受け部材７との間の隙間には、防水処理を施している。したがって、二つの外周リブ１１の間の外周縁部２３を切欠いて切欠き部１２を形成しても、防水パン２の防水性を確保することができる。
【００１８】
切欠き部１２を形成する前の防水パン２（図６）は、出入口ドア５がどの位置にあっても使用できるように同じ形状を有する共通の防水パンである。
上述のように、出入口ドア５を取付ける可能性のある位置としては、辺１０ｂの所定位置，辺１０ｃの所定位置，辺１０ｄの一方側の所定位置，辺１０ｄの他方側の所定位置という、四つのパターンがあるが、一種類の共通の防水パン２でこれらに容易に対処することができる。
したがって、多種類の金型は不要で、一種類の金型を準備して同じ形状の防水パン２を成形すればよいので、製造が容易になり製造コストも低減できる。
【００１９】
本実施例では、三つの辺１０ｂ〜１０ｄの外周縁部２３の近傍にそれぞれ複数の外周リブ１１を一体形成したので、複数の外周リブ１１が、補強の機能を発揮して防水パン２の変形を抑制する。
二つの外周リブ１１の間の外周縁部２３を切欠いて切欠き部１２を形成するので、切欠き部１２の両側に位置して対向する一対の外周リブ１１が、切欠き部１２の周囲の補強の機能を発揮するので、切欠き後の防水パン２の強度低下を防止することができる。
また、外周リブ１１が、ドア受け部材７を支持するための支持部を兼ねている。すなわち、ドア受け部材７を支持するのに、防水パン２の外周縁部２３より下方側で且つ横方向（各外周縁部２３の長手方向と平行な方向）にねじ１３をねじ込んでドア受け部材７の側板１４を外周リブ１１に締結固定している。したがって、防水パン２の表面２０側にねじ１３が露出しないので、清掃性，防水性を損なうことがなく、また意匠性も良好である。
【００２０】
このように、本実施例では、外周縁部２３に設けられた補強用の外周リブ１１を、ドア受け部材７を支持するための支持部材として兼用している。したがって、複数の外周リブ１１で防水パン２の周囲を補強しつつ、ドア受け部材７用の支持部材を別途設けなくてもこのドア受け部材７を外周リブ１１で支持することができる。
浴室１を使用する際、出入口ドア５は頻繁に開閉され、開閉する度にその衝撃がドア受け部材７を介して防水パン２に伝わる。これに対して、ドア受け部材７をその両側の外周リブ１１でしっかりと支持するとともに、ドア受け部材７の取付け部位を外周リブ１１で補強しているので、ドア受け部材７は強固に保持されることになり、出入口ドア５を常時スムーズに開閉することができる。
従来と比べて、複数の外周リブ１１を設けたが、各外周リブ１１は薄板状でその大きさも必要最小限なので、防水パン２を成形するための材料の量はそれほど増えない。
【００２１】
以上、本発明の一実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２２】
本発明は、住宅（一戸建て住宅，集合住宅），ホテルなどに設置される浴室およびその防水パンに適用可能である。
【図面の簡単な説明】
【００２３】
【図１】図１ないし図７は本発明の一実施例を示す図で、図１は防水パンを有する浴室の斜視図である。
【図２】防水パンの平面図である。
【図３】図２のIII−III線に沿う片側断面図である。
【図４】図２のIV−IV線断面図である。
【図５】図２のＶ部拡大斜視図である。
【図６】切欠き部形成前の防水パンの裏面図である。
【図７】切欠き部形成後の防水パンの一部を示す裏面図である。
【符号の説明】
【００２４】
１    浴室
２    防水パン
５    出入口ドア
６    洗い場
７    ドア受け部材
７ａ，７ｂ      両端部
１０ａ〜１０ｄ  辺
１１  外周リブ
１２  切欠き部
１３  ねじ（締結部材）
１４  側板
２３  外周縁部
【図１】
2006016786.tif 000003
【図２】
2006016786.tif 000004
【図３】
2006016786.tif 000005
【図４】
2006016786.tif 000006
【図５】
2006016786.tif 000007
【図６】
2006016786.tif 000008
【図７】
2006016786.tif 000009